Podtech/llm-jp-corpus-v4-ja_patent huggingface dataset:
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
印刷に有用な装置であって、
トナーを格納するように構成される回転可能容器であり、前記回転可能容器は、実質的に円形の断面を有する本体部と、前記本体部の１つの軸方向端部にある第１の端部と、前記第１の端部から軸方向に遠くにある第２の端部と、前記回転可能容器が回転するにつれて、前記トナーの少なくとも一部を前記第１の端部と前記第２の端部との間の軸方向に搬送するように構成される前記本体部の内部表面のヘリカル特徴部と、を有する回転可能容器と、
前記回転可能容器が回転するにつれて、前記回転可能容器の内側の部分の中でタンブルし、回転し、前記トナーを攪拌するように構成されるインサートと、を備え、
前記インサートは、右巻きのコイル状のワイヤー部分を含み、
前記インサートは、前記本体部の前記第１の端部と前記本体部の前記第２の端部との間の距離より大きい長さを有する
装置。
【請求項２】
前記インサートは、前記第１の端部および前記第２の端部の少なくとも１つによって束縛される、請求項１に記載の装置。
【請求項３】
前記回転可能容器は、前記軸方向に回転されるように構成され、前記コイル状のワイヤー部分は、前記回転可能容器の回転方向に対応する方向に巻かれている請求項１に記載の装置。
【請求項４】
前記コイル状のワイヤー部分は、左巻きの部分を含む請求項１に記載の装置。
【請求項５】
前記インサートは、左巻きの部分を有する別のコイル状のワイヤー部分を更に含む請求項１に記載の装置。
【請求項６】
前記コイル状のワイヤー部分は、前記ヘリカル特徴部と前記本体部の内部表面によって形成される１以上の溝との組み合わせが可能となるように、前記ヘリカル特徴部に対応するピッチを有する請求項１に記載の装置。
【請求項７】
印刷に有用な方法であって、
少なくとも部分的には、トナーを格納するように構成される回転可能容器を軸の周りに回転させるステップであり、前記回転可能容器は、実質的に円形の断面を有する本体部と、前記本体部の１つの軸方向端部にある第１の端部と、前記第１の端部から軸方向に遠くにある第２の端部と、前記回転可能容器が回転するにつれて、前記トナーを前記第１の端部と前記第２の端部との間の軸方向に搬送するように構成される前記本体部の内部表面のヘリカル特徴部と、を有するステップと、
少なくとも部分的には、前記回転可能容器が回転するにつれて、前記回転可能容器の内側の部分の中でタンブルし、回転するように構成されるインサートによって、前記トナーの少なくとも一部を攪拌させるステップと、
を含み、
前記インサートは、右巻きのコイル状のワイヤー部分を含み、
前記インサートは、前記本体部の前記第１の端部と前記本体部の前記第２の端部との間の距離より大きい長さを有する
方法。
【請求項８】
前記インサートは、前記第１の端部および前記第２の端部の少なくとも１つによって束縛される、請求項７に記載の方法。
【請求項９】
前記回転可能容器は、前記軸方向に回転されるように構成され、前記コイル状のワイヤー部分は、前記回転可能容器の回転方向に対応する方向に巻かれている請求項７に記載の方法。
【請求項１０】
前記コイル状のワイヤー部分は、左巻きの部分を含む請求項７に記載の方法。
【請求項１１】
前記インサートは、左巻きの部分を有する別のコイル状のワイヤー部分を更に含む請求項７に記載の方法。
【請求項１２】
前記コイル状のワイヤー部分は、前記ヘリカル特徴部と前記本体部の内部表面によって形成される１以上の溝との組み合わせが可能となるように、前記ヘリカル特徴部に対応するピッチを有する請求項７に記載の方法。
【請求項１３】
画像形成装置であって、
画像マーキング装置と、
少なくとも１つの回転トナー送出容器と、を備え、
前記少なくとも１つの回転トナー送出容器は、トナーを格納するように構成される回転可能容器を備え、
前記回転可能容器は、実質的に円形の断面を有する本体部と、前記本体部の１つの軸方向端部にある第１の端部と、前記第１の端部から軸方向に遠くにある第２の端部と、回転可能容器が回転するにつれて、前記トナーの少なくとも一部を前記第１の端部と前記第２の端部との間の軸方向に前記画像マーキング装置の中へ搬送するように構成される、本体部の内部表面のヘリカル特徴部と、を備え、
前記回転トナー送出容器は、前記回転可能容器が回転するにつれて、前記回転可能容器の内側の部分の中でタンブルし、回転し、前記トナーを攪拌するように構成されるインサートを備え、
前記インサートは、前記ヘリカル特徴部と前記本体部の内部表面によって形成される１以上の溝との組み合わせが可能となるように、前記ヘリカル特徴部に対応するピッチを有するコイル状のワイヤー部分を備える
画像形成装置。
【請求項１４】
印刷に有用なトナー材料を容器に充填する方法であって、
トナーを格納するように構成される容器であって、実質的に円形の断面を有する本体部と、前記本体部の１つの軸方向端部にある第１の端部と、前記第１の端部から軸方向に遠くにある第２の端部と、前記本体部の内部表面のヘリカル特徴部と、を備える容器を提供し、
前記ヘリカル特徴部は、前記容器が画像形成装置によって回転するにつれて、前記トナーを前記第１の端部と前記第２の端部との間の軸方向に搬送するように構成され、
少なくとも部分的には、前記容器を前記トナーで満たすようにし、
少なくとも部分的には、前記トナーの少なくとも一部を攪拌するように構成され、かつ、前記画像形成装置によって前記容器が回転するにつれて、前記容器の内側部分の中でタンブルし回転するように構成されるインサートであって、前記ヘリカル特徴部と前記本体部の内部表面によって形成される１以上の溝との組み合わせが可能となるように前記ヘリカル特徴部に対応するピッチを有するコイル状のワイヤー部分を備えるインサートを前記容器に投入することを含む
方法。
【手続補正書】
【提出日】平成29年6月29日(2017.6.29)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
第１のゲート配線と、第２のゲート配線と、
前記第１のゲート配線上及び前記第２のゲート配線上に接する第１の絶縁層と、
前記第１の絶縁層上に接し、前記第１のゲート配線と重なる領域を有する第１の半導体層と、
前記第１の絶縁層上に接し、前記第２のゲート配線と重なる領域を有する第２の半導体層と、
前記第１の半導体層と電気的に接続された第１の導電層と、
前記第２の半導体層と電気的に接続された第２の導電層と、
前記第１の半導体層及び前記第２の半導体層と電気的に接続されたソース配線と、
前記第１の導電層、前記第２の導電層及び前記ソース配線と同一材料を有する第３の導電層と、
前記第１の導電層と電気的に接続された、第１の液晶素子の画素電極と、
前記第２の導電層と電気的に接続された、第２の液晶素子の画素電極と、
前記第１の液晶素子の画素電極及び前記第２の液晶素子の画素電極と接する第２の絶縁層と、
前記第２の絶縁層を介して、前記第１の液晶素子の画素電極及び前記第２の液晶素子の画素電極のそれぞれと重なる領域を有する第４の導電層と、を有し、
前記第４の導電層は、前記第１の液晶素子のコモン電極として機能する領域と、前記第２の液晶素子のコモン電極として機能する領域とを有し、
前記第３の導電層は、前記第１のゲート配線と重なる領域を有し、
前記第４の導電層は、前記第３の導電層と、前記第１のゲート配線とが重なる領域において、前記第１のゲート配線と重なる領域を有することを特徴とする液晶表示装置。
【請求項２】
第１のゲート配線と、第２のゲート配線と、
前記第１のゲート配線上及び前記第２のゲート配線上に接する第１の絶縁層と、
前記第１の絶縁層上に接し、前記第１のゲート配線と重なる領域を有する第１の半導体層と、
前記第１の絶縁層上に接し、前記第２のゲート配線と重なる領域を有する第２の半導体層と、
前記第１の半導体層と電気的に接続された第１の導電層と、
前記第２の半導体層と電気的に接続された第２の導電層と、
前記第１の半導体層及び前記第２の半導体層と電気的に接続されたソース配線と、
前記第１の導電層、前記第２の導電層及び前記ソース配線と同一材料を有する第３の導電層と、
前記第１の導電層と電気的に接続された、第１の液晶素子の画素電極と、
前記第２の導電層と電気的に接続された、第２の液晶素子の画素電極と、
前記第１の液晶素子の画素電極及び前記第２の液晶素子の画素電極と接する第２の絶縁層と、
前記第２の絶縁層を介して、前記第１の液晶素子の画素電極及び前記第２の液晶素子の画素電極のそれぞれと重なる領域を有する第４の導電層と、を有し、
前記第４の導電層は、前記第１の液晶素子のコモン電極として機能する領域と、前記第２の液晶素子のコモン電極として機能する領域とを有し、
前記第３の導電層は、前記第１のゲート配線と重なる領域を有し、
前記第４の導電層は、前記第３の導電層と、前記第１のゲート配線とが重なる領域において、前記第１のゲート配線と重なる領域を有し、
前記ソース配線は、前記第１のゲート配線及び前記第２のゲート配線のそれぞれと交差する領域を有し、
前記第１のゲート配線と前記第２のゲート配線との間の領域において、前記ソース配線は前記第４の導電層と重なる領域を有さないことを特徴とする液晶表示装置。
【請求項３】
第１のゲート配線と、第２のゲート配線と、
前記第１のゲート配線上及び前記第２のゲート配線上に接する第１の絶縁層と、
前記第１の絶縁層上に接し、前記第１のゲート配線と重なる領域を有する第１の半導体層と、
前記第１の絶縁層上に接し、前記第２のゲート配線と重なる領域を有する第２の半導体層と、
前記第１の半導体層と電気的に接続された第１の導電層と、
前記第２の半導体層と電気的に接続された第２の導電層と、
前記第１の半導体層及び前記第２の半導体層と電気的に接続されたソース配線と、
前記第１の導電層、前記第２の導電層及び前記ソース配線と同一材料を有する第３の導電層と、
前記第１の導電層と電気的に接続された、第１の液晶素子の画素電極と、
前記第２の導電層と電気的に接続された、第２の液晶素子の画素電極と、
前記第１の液晶素子の画素電極及び前記第２の液晶素子の画素電極と接する第２の絶縁層と、
前記第２の絶縁層を介して、前記第１の液晶素子の画素電極及び前記第２の液晶素子の画素電極のそれぞれと重なる領域を有する第４の導電層と、を有し、
前記第４の導電層は、前記第１の液晶素子のコモン電極として機能する領域と、前記第２の液晶素子のコモン電極として機能する領域とを有し、
前記第３の導電層は、全体が前記第１のゲート配線と重なるように配置され、
前記第４の導電層は、前記第３の導電層と、前記第１のゲート配線とが重なる領域において、前記第１のゲート配線と重なる領域を有することを特徴とする液晶表示装置。
【請求項４】
第１のゲート配線と、第２のゲート配線と、
前記第１のゲート配線上及び前記第２のゲート配線上に接する第１の絶縁層と、
前記第１の絶縁層上に接し、前記第１のゲート配線と重なる領域を有する第１の半導体層と、
前記第１の絶縁層上に接し、前記第２のゲート配線と重なる領域を有する第２の半導体層と、
前記第１の半導体層と電気的に接続された第１の導電層と、
前記第２の半導体層と電気的に接続された第２の導電層と、
前記第１の半導体層及び前記第２の半導体層と電気的に接続されたソース配線と、
前記第１の導電層、前記第２の導電層及び前記ソース配線と同一材料を有する第３の導電層と、
前記第１の導電層と電気的に接続された、第１の液晶素子の画素電極と、
前記第２の導電層と電気的に接続された、第２の液晶素子の画素電極と、
前記第１の液晶素子の画素電極及び前記第２の液晶素子の画素電極と接する第２の絶縁層と、
前記第２の絶縁層を介して、前記第１の液晶素子の画素電極及び前記第２の液晶素子の画素電極のそれぞれと重なる領域を有する第４の導電層と、を有し、
前記第４の導電層は、前記第１の液晶素子のコモン電極として機能する領域と、前記第２の液晶素子のコモン電極として機能する領域とを有し、
前記第３の導電層は、全体が前記第１のゲート配線と重なるように配置され、
前記第４の導電層は、前記第３の導電層と、前記第１のゲート配線とが重なる領域において、前記第１のゲート配線と重なる領域を有し、
前記ソース配線は、前記第１のゲート配線及び前記第２のゲート配線のそれぞれと交差する領域を有し、
前記第１のゲート配線と前記第２のゲート配線との間の領域において、前記ソース配線は前記第４の導電層と重なる領域を有さないことを特徴とする液晶表示装置。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
放送伝送路または通信伝送路を介して伝送される放送番組のコンポーネントを受信可能な放送受信装置で実行する表示及び一時蓄積の処理方法であって、
前記放送伝送路または前記通信伝送路で伝送される放送番組のコンポーネントと、前記コンポーネントのデコードに用いる第１の時刻情報と、前記第１の時刻情報とは異なる時刻情報であって１６ビットの数値データである日付データを含む第２の時刻情報と、を受信する受信ステップと、
前記受信ステップで受信した前記コンポーネントを前記第１の時刻情報を用いてデコードして映像を生成するデコードステップと、
前記デコードステップで生成した映像の映像表示を行う表示ステップと、
前記第２の時刻情報に基づいて一時蓄積処理を行う一時蓄積ステップとを有し、
前記一時蓄積ステップでの一時蓄積処理においては、所定の日付を用いた判定処理に応じて、前記第２の時刻情報の日付データの値に１０進法表記での６５５３６の値を加算する処理を行うか否かを切り替える、表示及び一時蓄積の処理方法。
【手続補正２】
【補正対象書類名】明細書
【補正対象項目名】発明の名称
【補正方法】変更
【補正の内容】
【発明の名称】表示及び一時蓄積の処理方法
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
放送伝送路または通信伝送路でＩＰデータフローが伝送される放送システムのデジタル放送サービスを受信可能な放送受信装置で実行する選局方法であって、
前記放送伝送路を介して、テーブルのバージョン情報と、各サービスに関するＩＰマルチキャストグループの一覧とを含むアドレスマップテーブルを取得する取得ステップと、
前記取得ステップで取得したアドレスマップテーブルを記憶する記憶ステップと、
前記記憶ステップで記憶したアドレスマップテーブルに含まれるＩＰマルチキャストグループの一覧を用いて選局する選局ステップと、
を含み、
前記記憶ステップでは、記憶済みのアドレスマップテーブルがある場合、当該記憶済みのアドレスマップテーブルのバージョン情報と、取得ステップで取得したアドレスマップテーブルのバージョン情報とを比較して前記取得したアドレスマップテーブルの更新の有無を判断する、
選局方法。
【手続補正２】
【補正対象書類名】明細書
【補正対象項目名】発明の名称
【補正方法】変更
【補正の内容】
【発明の名称】選局方法
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
遊技者に所定の遊技利益を付与する大当たり結果、および、いずれの遊技利益も付与しないとするハズレ結果を少なくとも含む複数種類の抽選結果の中からいずれかの抽選結果を導出する大役抽選が実行され、該大役抽選で導出された該抽選結果に基づいて変動演出が実行される遊技機であって、
遊技球が流下する遊技領域が形成された遊技盤と、
前記遊技領域を流下する遊技球が進入可能な始動領域と、
前記始動領域への遊技球の進入を条件として、前記大役抽選で用いる遊技情報を少なくとも含む保留情報を取得して記憶部に記憶する保留記憶手段と、
予め設定された始動条件の成立により、前記記憶部に記憶された保留情報を読み出して前記大役抽選を実行する抽選手段と、
前記大役抽選の抽選結果に基づいて、前記変動演出の実行パターンを決定する変動演出決定手段と、
前記変動演出決定手段によって決定された実行パターンに基づいて、画像表示部に変動演出画像を表示制御する変動演出実行手段と、
前記抽選手段によって読み出された保留情報を示す保留表示が、複数種類設けられた表示形態のいずれかで保留表示部に表示され、該保留表示部に表示された該保留表示の表示形態によって前記大役抽選の抽選結果が示唆される保留演出を実行する保留演出制御手段と、
を備え、
前記保留演出制御手段は、
前記保留情報が読み出されて実行される前記変動演出の開始に伴って、前記保留表示部における前記保留表示の表示を開始し、
前記保留表示部における保留表示の表示開始から終了までの間に、表示形態を１回もしくは複数回変化させる場合があり、
前記変動演出の実行中に前記保留表示の表示形態を変化させる前に、所定の待機画像を１または複数表示する待機演出を所定の確率で実行し、
前記待機演出を実行した場合、予め設定された特定演出を実行するとともに、該特定演出の実行に伴って前記保留表示の表示形態を変化させることを特徴とする遊技機。
【請求項２】
前記変動演出決定手段は、
前記大当たり結果が導出された場合に、前記変動演出の実行パターンとして特定実行パターンを決定することがあり、
前記変動演出実行手段は、
前記特定実行パターンの変動演出において、前記大役抽選の結果がハズレ結果であることを示すハズレ演出の実行後に、該大役抽選の結果が前記大当たり結果であることを報知する復活演出を実行し、
前記保留演出制御手段は、
前記特定実行パターンの変動演出の実行中に、前記ハズレ演出の実行後も少なくとも１つの前記待機画像の表示を継続する特殊待機演出を実行する場合があり、該特殊待機演出を実行した場合、前記復活演出の開始前もしくは該復活演出中に前記特定演出を実行することを特徴とする請求項１に記載の遊技機。
【手続補正２】
【補正対象書類名】明細書
【補正対象項目名】０００８
【補正方法】変更
【補正の内容】
【０００８】
上記課題を解決するために、本発明の遊技機は、遊技者に所定の遊技利益を付与する大当たり結果、および、いずれの遊技利益も付与しないとするハズレ結果を少なくとも含む複数種類の抽選結果の中からいずれかの抽選結果を導出する大役抽選が実行され、該大役抽選で導出された該抽選結果に基づいて変動演出が実行される遊技機であって、遊技球が流下する遊技領域が形成された遊技盤と、前記遊技領域を流下する遊技球が進入可能な始動領域と、前記始動領域への遊技球の進入を条件として、前記大役抽選で用いる遊技情報を少なくとも含む保留情報を取得して記憶部に記憶する保留記憶手段と、予め設定された始動条件の成立により、前記記憶部に記憶された保留情報を読み出して前記大役抽選を実行する抽選手段と、前記大役抽選の抽選結果に基づいて、前記変動演出の実行パターンを決定する変動演出決定手段と、前記変動演出決定手段によって決定された実行パターンに基づいて、画像表示部に変動演出画像を表示制御する変動演出実行手段と、前記抽選手段によって読み出された保留情報を示す保留表示が、複数種類設けられた表示形態のいずれかで保留表示部に表示され、該保留表示部に表示された該保留表示の表示形態によって前記大役抽選の抽選結果が示唆される保留演出を実行する保留演出制御手段と、を備え、前記保留演出制御手段は、前記保留情報が読み出されて実行される前記変動演出の開始に伴って、前記保留表示部における前記保留表示の表示を開始し、前記保留表示部における保留表示の表示開始から終了までの間に、表示形態を１回もしくは複数回変化させる場合があり、前記変動演出の実行中に前記保留表示の表示形態を変化させる前に、所定の待機画像を１または複数表示する待機演出を所定の確率で実行し、前記待機演出を実行した場合、予め設定された特定演出を実行するとともに、該特定演出の実行に伴って前記保留表示の表示形態を変化させることを特徴とする。
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
オートクレーブ環境においてマンドレルの複数のセグメントを封止し、監視するための方法であって、
前記マンドレルセグメントの端部と継ぎ目、及び、前記マンドレルセグメントの間の内側封止と重なる内側バッグ真空チャンバを形成すること、
外側バッグ真空チャンバとＨ型封止領域を、前記内側バッグ真空チャンバの両端に形成すること、
前記Ｈ型封止領域、前記内側封止及び中間封止を使用して、外側封止チャンバを形成すること、
前記中間封止及び前記内側封止を使用して、内側封止チャンバを形成すること、及び、
前記内側封止、前記中間封止及び前記外側封止のいずれについても完全性を監視することを含む、方法。
【請求項２】
前記内側封止、前記中間封止、前記外側封止及び前記Ｈ型封止領域の脚部を、前記マンドレルセグメントにある溝に圧入することを更に含む、請求項１に記載の方法。
【請求項３】
前記外側バッグ真空チャンバを形成することは、前記Ｈ型封止領域の前記脚部を内側及び外側真空バッグに封止することを含む、請求項１または２に記載の方法。
【請求項４】
前記外側バッグ真空チャンバを形成することは、前記Ｈ型封止領域の前記脚部を前記内側封止及び前記中間封止に封止することを含む、請求項１から３のいずれか一項に記載の方法。
【請求項５】
前記完全性を監視することは、前記内側バッグ真空チャンバ、前記内側封止チャンバ及び前記外側封止チャンバのうちいずれかの中の真空圧力の変化を感知することを含む、請求項１から４のいずれか一項に記載の方法。
【請求項６】
第１及び第２の工具セグメントの間の継ぎ目に沿った、実質的に気密な封止配置であって、
第１及び第２の実質的に気密な真空チャンバを形成する内側、中間及び外側封止、並びに
前記継ぎ目の両端に配置され、前記中間封止及び前記外側封止に接続された、Ｈ型封止領域を備える、封止配置。
【請求項７】
前記内側、中間及び外側封止は、前記継ぎ目の長さに沿って延び、前記継ぎ目の両端の各々に、Ｈ型のパターンに配置される、請求項６に記載の封止配置。
【請求項８】
前記第１及び第２の工具セグメントは、レイアップ面を形成するよう配置され、前記Ｈ型のパターンは、前記レイアップ面を覆う第１及び第２の真空バッグに封止されるように適合された第１及び第２の脚部を含む、請求項６または７に記載の封止配置。
【請求項９】
前記内側、前記中間及び前記外側封止は、前記継ぎ目から間隔をあけて配置され、前記継ぎ目に沿って縦方向に延びる、請求項６から８のいずれか一項に記載の封止配置。
【請求項１０】
前記内側及び中間封止は、互いに間隔を開けて配置され、前記第１の真空チャンバを形成し、かつ、
前記中間及び外側封止は、互いに間隔を開けて配置され、前記第２の真空チャンバを形成する、請求項６から９のいずれか一項に記載の封止配置。
【請求項１１】
前記第１及び第２の真空チャンバの各々は、前記内側、中間及び外側封止の空気漏れを単独で試験するために、真空源及び通気孔に結合されるように適合される、請求項６から１０のいずれか一項に記載の封止配置。
【請求項１２】
前記第１及び第２の真空チャンバ内の真空圧力をそれぞれ感知する、第１及び第２の真空プローブを更に備える、請求項６から１１のいずれか一項に記載の封止配置。
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
コンテンツを１つ以上のオブジェクトに分割して配信するコンテンツ配信ネットワークの転送装置であって、
受信待ちのオブジェクト数である第１の値を管理する管理手段と、
閾値を保持する保持手段と、
１つ以上のオブジェクトを示す要求パケットを受信すると、当該１つ以上のオブジェクトの内、キャッシュしておらず、かつ、受信待ちでないオブジェクトを判定して、前記判定したオブジェクトの数である第２の値を求め、前記第１の値と前記第２の値の和が前記閾値を超えていると、前記第２の値より小さい第３の値を決定し、前記判定したオブジェクトから前記第３の値の数のオブジェクトを選択し、前記選択したオブジェクトを示す要求パケットを送信する処理を行う処理手段と、
を備えていることを特徴とする転送装置。
【請求項２】
前記保持手段は、前記閾値より大きい制限値を保持しており、
前記処理手段は、前記第３の値を、前記制限値から前記第１の値を減じた値以下に制限することを特徴とする請求項１に記載の転送装置。
【請求項３】
前記第３の値は、前記第１の値と前記第２の値の和が前記制限値以下では、前記第１の値と前記第２の値の和が大きくなると、大きくなることを特徴とする請求項２に記載の転送装置。
【請求項４】
前記処理手段は、前記判定したオブジェクトから選択されなかった、前記第２の値から前記第３の値を減じた数のオブジェクトを、前記受信した要求パケットの送信元の装置に通知することを特徴とする請求項１から３のいずれか１項に記載の転送装置。
【請求項５】
請求項１から４のいずれか１項に記載の転送装置としてコンピュータを機能させることを特徴とするプログラム。
【手続補正２】
【補正対象書類名】明細書
【補正対象項目名】００１１
【補正方法】変更
【補正の内容】
【００１１】
本発明の一側面によると、コンテンツを１つ以上のオブジェクトに分割して配信するコンテンツ配信ネットワークの転送装置は、受信待ちのオブジェクト数である第１の値を管理する管理手段と、閾値を保持する保持手段と、１つ以上のオブジェクトを示す要求パケットを受信すると、当該１つ以上のオブジェクトの内、キャッシュしておらず、かつ、受信待ちでないオブジェクトを判定して、前記判定したオブジェクトの数である第２の値を求め、前記第１の値と前記第２の値の和が前記閾値を超えていると、前記第２の値より小さい第３の値を決定し、前記判定したオブジェクトから前記第３の値の数のオブジェクトを選択し、前記選択したオブジェクトを示す要求パケットを送信する処理を行う処理手段と、を備えていることを特徴とする。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
入賞口に設けられた所定の領域を遊技球が通過することにより、遊技者に所定の利益を付与する利益付与手段と、
前記所定の領域に対する遊技球の通過状態に応じたレベルの信号を出力するスイッチ手段と、
前記スイッチ手段により出力される信号に基づいて、予め定められた間隔で繰り返し実行される反復処理により、前記所定の領域を遊技球が通過したか否かを判定する判定手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記所定の領域を遊技球が通過したと判定する通過判定手段とを有する、遊技機。
【手続補正２】
【補正対象書類名】明細書
【補正対象項目名】０００７
【補正方法】変更
【補正の内容】
【０００７】
本発明の一局面に係る遊技機（１）は、
入賞口に設けられた所定の領域を遊技球が通過することにより、遊技者に所定の利益を付与する利益付与手段と、
前記所定の領域に対する遊技球の通過状態に応じたレベルの信号を出力するスイッチ手段（近接スイッチ）と、
前記スイッチ手段により出力される信号に基づいて、予め定められた間隔で繰り返し実行される反復処理（タイマ割込み処理）により、前記所定の領域を遊技球が通過したか否かを判定する判定手段とを備え、
前記判定手段は、
前記スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記所定の領域を遊技球が通過したと判定する通過判定手段とを有する（図５ご参照）。
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
磁場が印加された空気による磁気分解を行って対象物を分解処理する磁気分解装置であって、
前記対象物の分解処理を行う分解処理部と、
前記分解処理部から排出される排煙を循環させるブロアと、
散水管を含み前記排煙の流れ方向に対して前記ブロアよりも前段に配置されたシャワー、および排煙の流れ方向に対して前記ブロワよりも後段に配置された水槽フィルタを有するフィルタ部と、
前記分解処理部の排煙を前記フィルタ部に送る排気ダクトと、
前記フィルタ部によるフィルタ処理後の排煙を前記分解処理部に送る吸気ダクトと、
前記吸気ダクトに設けられており、フィルタ処理後の排煙に磁場を印加する磁石と
を備えたことを特徴とする磁気分解装置。
【請求項２】
前記分解処理部は、ホットエアガンを利用して分解処理を開始することを特徴とする請求項１記載の磁気分解装置。
【請求項３】
前記フィルタ部は、前記シャワーの後段であって、前記ブロアの前段に複数の斜めに交互に配置された板から構成された斜板フィルタを有することを特徴とする請求項１または請求項２記載の磁気分解装置。
【請求項４】
前記分解処理部を構成する熱分解処理室の内壁に、空気吸入部が空気の流れ方向に沿って上向きの斜板である斜板煙道が形成されていることを特徴とする請求項１から請求項３の何れか一項記載の磁気分解装置。
【請求項５】
前記吸気ダクトに流れる排煙の一部を、前記分解処理部を迂回して前記排気ダクトに供給するバイパス配管を設けたことを特徴とする請求項１から請求項４の何れか一項記載の磁気分解装置。
【請求項６】
磁場が印加された空気による磁気分解を行って対象物を分解処理する磁気分解方法であって、
対象物を分解処理部に投入して熱分解する工程と、
前記熱分解する工程で排出される排煙をブロアにより循環する工程と、
前記分解処理部から排出される排煙を、排気ダクトを通じて前記ブロアの前段に配置され散水管を有するシャワーに送る工程と、
前記シャワーから排出される排煙を前記ブロアの後段に配置された水槽フィルタに送る工程と、
前記水槽フィルタから排出される排煙を、吸気ダクトを通じて前記分解処理部に送る工程と、
を備えたことを特徴とする磁気分解方法。
【手続補正２】
【補正対象書類名】明細書
【補正対象項目名】００１９
【補正方法】変更
【補正の内容】
【００１９】
これらのうち、シャワー２１０は、散水管２１２から排煙にシャワーを当てるようにしたものである。斜板フィルタ２２０は、複数の斜めに交互に配置された板に排煙を当てるようにしたものである。これらシャワー２１０及び斜板フィルタ２２０は、排煙の温度を低下させるとともに、タールを除去し、後段のブロワ２３０の負担を軽減するためのものである。
【手続補正３】
【補正対象書類名】明細書
【補正対象項目名】００２２
【補正方法】変更
【補正の内容】
【００２２】
次に、本実施の形態では、ホットエアガン４０を使用して処理開始を行うようにしている。これにより、火を全く使用しないで、分解処理が開始され継続される。具体的には、熱分解処理室１１０の開口１１２を開けて、ここからホットエアガン４０で熱風を吹き込むとともに、ブロワ２３０を駆動して排煙を磁気分解して循環させることで、分解処理が継続的に行われるようになっている。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
振動板と、
前記振動板の少なくとも一方の面に配置された圧電振動体と、
被駆動体と接触可能な接触部材と、
を備え、
前記圧電振動体に電圧が印加されていない状態において、前記振動板と前記接触部材との第１距離は、前記圧電振動体と前記接触部材との第２距離と異なっており、
前記接触部材は、前記第１距離が前記第２距離よりも短い場合、少なくとも前記振動板に接着されており、前記第１距離が前記第２距離よりも長い場合、少なくとも前記圧電振動体に接着されている、
圧電駆動装置。
【請求項２】
請求項１に記載の圧電駆動装置において、
前記接触部材と対向する前記振動板の面と、前記接触部材と対向する前記圧電振動体の面は、異なる平面上に位置する、圧電駆動装置。
【請求項３】
請求項１または２に記載の圧電駆動装置において、
前記第１距離は、前記第２距離よりも短い、圧電駆動装置。
【請求項４】
請求項３に記載の圧電駆動装置において、
前記第１距離と前記第２距離との差は、前記圧電振動体に電圧を印加したときの変位量よりも大きい、圧電駆動装置。
【請求項５】
請求項１〜４のいずれか一項に記載の圧電駆動装置において、
前記圧電振動体の厚みは、５０ｎｍ以上２０μｍ以下である、圧電駆動装置。
【請求項６】
請求項１〜５のいずれか一項に記載の圧電駆動装置において、
前記振動板は、シリコン、シリコン化合物、金属、金属酸化物、またはダイヤモンドで形成されている、圧電駆動装置。
【請求項７】
複数のリンク部と
前記複数のリンク部を接続する関節部と、
前記複数のリンク部を前記関節部で回動させる請求項１〜６のいずれか一項に記載の圧電駆動装置と、
を備えるロボット。
【請求項８】
請求項７に記載のロボットの駆動方法であって
前記圧電振動体は、第１電極と、第２電極と、前記第１電極と前記第２電極との間に位置する圧電体とを有し、
前記第１電極と前記第２電極との間に周期的に変化する電圧を印加することで前記圧電駆動装置を駆動し、前記複数のリンク部を前記関節部で回動させる、ロボットの駆動方法。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
対戦ゲームを行うプレイヤに用いられ得る１または複数のコンピュータを、
仮想的なカードの束であるデッキから選択された複数のカードを第１フィールドに表示する第１制御手段と、
前記対戦ゲームにおける第１期間において、第１対戦条件下で、プレイヤの操作によって選択された前記カードに設定されたパラメータに基づく相手キャラクタとの対戦を行う第２制御手段と、
前記第１期間に引き続く第２期間において、前記第１対戦条件とは異なる第２対戦条件下で、プレイヤの操作によって選択された前記カードに設定されたパラメータに基づく相手キャラクタとの対戦を行う第３制御手段と、して機能させる対戦ゲーム制御プログラム。
【請求項２】
前記第２対戦条件は、前記第１期間内における対戦結果に関わらず予め決まっている、請求項１に記載の対戦ゲーム制御プログラム。
【請求項３】
前記第２対戦条件は、前記第１期間内における対戦結果に依存する、請求項１に記載の対戦ゲーム制御プログラム。
【請求項４】
前記第２対戦条件は、前記第１期間内における攻撃状況に依存する、請求項３に記載の対戦ゲーム制御プログラム。
【請求項５】
前記第２対戦条件は、前記プレイヤに報酬を付与する条件である、請求項３または４に記載の対戦ゲーム制御プログラム。
【請求項６】
前記第３制御手段は、前記第２期間において、前記第１期間内における対戦結果に関わらず予め決まった前記第２対戦条件下で前記対戦を行い、
当該対戦ゲーム制御プログラムは、前記１または複数のコンピュータを、
前記第２期間に引き続く第３期間において、前記第２対戦条件とは異なり、かつ、前記第２期間における対戦結果に依存する第３対戦条件下で、プレイヤの操作によって選択された前記カードに設定されたパラメータに基づく相手キャラクタとの対戦を行う第４制御手段としてさらに機能させる、請求項１に記載の対戦ゲーム制御プログラム。
【請求項７】
前記第３対戦条件は、前記プレイヤに報酬を付与する条件である、請求項６に記載の対戦ゲーム制御プログラム。
【請求項８】
前記第１期間および前記第２期間のそれぞれは、その開始時間および終了時間が前記対戦ゲームの開始時間を基準として予め定められている、請求項１乃至７のいずれかに記載の対戦ゲーム制御プログラム。
【請求項９】
前記第２制御手段および前記第３制御手段は、前記第１フィールドとは異なる第２フィールドで前記対戦を行う、請求項１乃至８のいずれかに記載の対戦ゲーム制御プログラム。
【請求項１０】
前記第２対戦条件下では、前記第１対戦条件下より前記相手キャラクタに対する攻撃力が高い、請求項１乃至９のいずれかに記載の対戦ゲーム制御プログラム。
【請求項１１】
前記パラメータは、攻撃力および生命力を含む、請求項１乃至１０のいずれかに記載の対戦ゲーム制御プログラム。
【請求項１２】
対戦ゲームを行うプレイヤに用いられ得る１または複数のコンピュータにおける対戦ゲーム制御方法であって、
仮想的なカードの束であるデッキから選択された複数のカードを第１フィールドに表示することと、
前記対戦ゲームにおける第１期間において、第１対戦条件下で、プレイヤの操作によって選択された前記カードに設定されたパラメータに基づく相手キャラクタとの対戦を行うことと、
前記第１期間に引き続く第２期間において、前記第１対戦条件とは異なる第２対戦条件下で、プレイヤの操作によって選択された前記カードに設定されたパラメータに基づく相手キャラクタとの対戦を行うことと、を備える対戦ゲーム制御方法。
【請求項１３】
対戦ゲームを行うプレイヤに用いられ得る対戦ゲーム制御システムであって、
仮想的なカードの束であるデッキから選択された複数のカードを第１フィールドに表示する第１制御手段と、
前記対戦ゲームにおける第１期間において、第１対戦条件下で、プレイヤの操作によって選択された前記カードに設定されたパラメータに基づく相手キャラクタとの対戦を行う第２制御手段と、
前記第１期間に引き続く第２期間において、前記第１対戦条件とは異なる第２対戦条件下で、プレイヤの操作によって選択された前記カードに設定されたパラメータに基づく相手キャラクタとの対戦を行う第３制御手段と、を備える対戦ゲーム制御システム。
【請求項１４】
請求項１３に記載の対戦ゲーム制御システムを実現させるために、通信可能に接続された１または複数のコンピュータの少なくとも１つを、前記第１乃至第３制御手段の少なくとも１つとして機能させるための対戦ゲーム制御プログラム。
【手続補正書】
【提出日】平成29年6月23日(2017.6.23)
【手続補正１】
【補正対象書類名】明細書
【補正対象項目名】０００８
【補正方法】変更
【補正の内容】
【０００８】
スイッチ８１がオンであってＤＣＤＣコンバータ８２の動作が停止している場合において、第２経路に流れる電流の値が第２電流値未満となってＡ／Ｄ変換部８５が出力した電圧値が第２電圧値未満になったとき、制御部８６は、スイッチ８１をオフにしてＤＣＤＣコンバータ８２を作動させる。これにより、発電機８０から負荷８３に流れる電流の電流経路が第２経路から第１経路に切替わる。負荷８３にはＤＣＤＣコンバータ８２が降圧した電圧が再び供給される。前述した電流検出回路と制御部８６とは、電流が流れる電流経路を第１経路又は第２経路に切替える切替え装置として機能する。
【手続補正２】
【補正対象書類名】明細書
【補正対象項目名】００３１
【補正方法】変更
【補正の内容】
【００３１】
本発明に係る切替え装置は、前述した電流検出回路と、電流が流れる電流経路を前記第１電流経路又は第２電流経路に切替える切替え部とを備え、該切替え部は、前記第１電流経路及び第２電流経路のいずれに電流が流れているかと、前記電流検出回路が出力した電圧値とに基づいて切替えを行うことを特徴とする。
本発明にあっては、例えば、第１電流経路に電流が流れている状態で電流検出回路が出力した電圧値に基づいて、電流が流れる電流経路を第２電流経路に切替えるべきか否かを判定し、第２電流経路に電流が流れている状態で電流検出回路が出力した電圧値に基づいて、電流が流れる電流経路を第１電流経路に切替えるべきか否かを判定する。電流検出回路において、第１電流経路及び第２電流経路夫々を流れる電流値を正確に示す電圧値が出力されるように２点の位置を調整することによって、電流が流れる電流経路を適切に切替えることが可能である。
本発明に係る切替え装置は、前述した電流検出回路と、電流が流れる電流経路を前記第１電流経路又は第２電流経路に切替える切替え部と、前記第１導電板及び第３導電板夫々が前記第２導電板に連なることによって構成された導電体の温度値を検出する温度検出部とを備え、前記切替え部は、前記第１電流経路及び第２電流経路のいずれに電流が流れているかと、前記電流検出回路が出力した電圧値と、前記温度検出部が検出した温度値とに基づいて切替えを行うことを特徴とする。
本発明にあっては、第１導電板及び第３導電板が第２導電板に連なっており、第１導電板、第２導電板及び第３導電板によって構成された導電体の温度値を検出する。電流が第１電流経路及び第２電流経路のいずれに流れているかと、電流検出回路が出力した電圧値とにだけではなく、検出した温度値にも基づいて、電流が流れる電流経路を切替えるべきか否かを判定するので、電流が流れる電流経路をより適切に切替えることが可能である。
本発明に係る切替え装置は、前述した電流検出回路と、電流が流れる電流経路を前記第１電流経路又は第２電流経路に切替える切替え部と、前記抵抗部の温度値を検出する温度検出部とを備え、前記切替え部は、前記第１電流経路及び第２電流経路のいずれに電流が流れているかと、前記電流検出回路が出力した電圧値と、前記温度検出部が検出した温度値とに基づいて切替えを行うことを特徴とする。
本発明にあっては、抵抗部の温度値を検出する。検出した温度値と、電流が第１電流経路及び第２電流経路のいずれに流れているかと、電流検出回路が出力した電圧値とに基づいて、電流が流れる電流経路を切替えるべきか否かを判定する。電流検出回路において、第１電流経路及び第２電流経路夫々を流れる電流値を正確に示す電圧値を出力するように２点の位置を調整することによって、電流が流れる電流経路を適切に切替えることが可能である。また、電流経路を切替えるべきか否かの判定が、検出した温度値にも基づいているため、電流経路をより適切に切替えることが可能である。
【手続補正３】
【補正対象書類名】明細書
【補正対象項目名】０１２１
【補正方法】変更
【補正の内容】
【０１２１】
図８は実施の形態５における電流検出の説明図である。実施の形態５における導電体１８は、第１導電部２１、第２導電部２２及び第３導電部２３に加えて、抵抗部５０を有する。抵抗部５０は矩形板状をなす。抵抗部５０の一辺に第３導電部２３の端部が連結しており、該一辺に対向する抵抗部５０の一辺に第２導電部２２の端部が連結している。第２導電部２２及び第３導電部２３が連結している二辺を除く抵抗部５０の他の二辺中の一辺に第１導電部２１の一辺が連結している。このように、第１導電部２１及び第３導電部２３夫々は抵抗部５０を介して、第２導電部２２に連なっている。図８には、第１導電部２１、第２導電部２２、第３導電部２３及び抵抗部５０夫々の板面が示されている。
【手続補正４】
【補正対象書類名】明細書
【補正対象項目名】０１２６
【補正方法】変更
【補正の内容】
【０１２６】
図６及び図８夫々に示す等電位線は、実施の形態３及び５において第２電流経路に、値が同じである電流が流れた場合における等電位線である。図８において隣り合う等電位線間の電圧差は図６において隣り合う等電位線間の電圧差と同じである。抵抗部５０の導電率は、第１導電部２１、第２導電部２２及び第３導電部２３の導電率のいずれよりも低い。このため、図８において実線の矢印によって示されるように第２電流経路に電流が流れた場合、抵抗部５０によって、点Ｐ１，Ｐ２間で大きく電圧が降下する。これは、点Ｐ３，Ｐ２間における図８の等電位線の数が、点Ｐ３，Ｐ２間における図６の等電位線の数よりも多いことからもわかる。
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
予め定められた更新間隔で、演算された指令回転数を外部装置（１００）から取得すると共に、前記指令回転数に基づいてインバータ（２２０）を駆動することによって電動機（２３０）を回転させる制御手段（２１０）を備えており、
前記制御手段（２１０）は、前記電動機（２３０）の回転数の変化率を算出し、当該変化率で前記電動機（２３０）が回転するように前記インバータ（２２０）を駆動し、
前記変化率は、所定時間に何回転増加または減少させるのかを示すパラメータであり、
前記制御手段（２１０）は、前記電動機（２３０）の実回転数を取得し、当該実回転数と前記指令回転数との差及び前記更新間隔に基づいて、前記更新間隔の各間隔が終了する前に前記実回転数が前記指令回転数に到達して一定となることなく変化するように前記変化率を算出する車載用電動機制御装置。
【請求項２】
前記制御手段（２１０）は、前記更新間隔が終了する時点で前記実回転数が前記指令回転数に到達する回転数の変化率よりも前記変化率が小さくなるように、調整値を用いて前記変化率を算出する請求項１に記載の車載用電動機制御装置。
【請求項３】
前記制御手段（２１０）は、前記変化率が所定の値を超える場合、前記変化率を所定の上限値に設定する請求項１または２に記載の車載用電動機制御装置。
【請求項４】
前記制御手段（２１０）は、前記更新間隔の各間隔を複数の間隔に分割し、前記複数の間隔毎に前記回転数の変化率を算出する請求項１ないし３のいずれか１つに記載の車載用電動機制御装置。
【手続補正２】
【補正対象書類名】明細書
【補正対象項目名】０００８
【補正方法】変更
【補正の内容】
【０００８】
上記目的を達成するため、請求項１に記載の発明では、予め定められた更新間隔で演算された指令回転数を外部装置（１００）から取得すると共に、指令回転数に基づいてインバータ（２２０）を駆動することによって電動機（２３０）を回転させる制御手段（２１０）を備えている。制御手段（２１０）は、電動機（２３０）の回転数の変化率を算出し、当該変化率で電動機（２３０）が回転するようにインバータ（２２０）を駆動する。変化率は、所定時間に何回転増加または減少させるのかを示すパラメータである。
【手続補正３】
【補正対象書類名】明細書
【補正対象項目名】０００９
【補正方法】変更
【補正の内容】
【０００９】
そして、制御手段（２１０）は、電動機（２３０）の実回転数を取得し、当該実回転数と指令回転数との差及び更新間隔に基づいて、更新間隔の各間隔が終了する前に実回転数が指令回転数に到達して一定となることなく変化するように変化率を算出する。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
メーターを備えるセンサであって、該センサが、前記メーターに接続された項目に関連する測定データを受信するように構成された、センサと、
ネットワークに接続するように構成された、ネットワークデバイスと、
コンピュータ実行可能命令を記憶する、少なくとも１つのメモリと、
前記少なくとも１つのメモリにアクセスするように構成された、少なくとも１つのプロセッサであって、
前記センサから、前記項目と関連する前記データを受信する、
ファイリングシステムとの対話のために前記項目と関連する前記データを準備する、
ために、前記コンピュータ実行可能命令を実行するように構成された、少なくとも１つのプロセッサと
を備え、
前記データの前記準備は、前記少なくとも１つのプロセッサに、
前記ネットワークデバイスを介して、前記項目と関連する前記データと前記センサに関連する前記データを記録するための前記ファイリングシステム内の場所の参照を前記ファイリングシステムに送信させ、
前記データと前記参照の送信に応答して、前記センサの動作に関連する情報を受け取り、前記センサに前記情報を送信させ、
前記センサは、前記センサの動作を更新するために前記情報をロードする、システム。
【請求項２】
前記センサが、電力消費量メーター、スマートメーター、国際電気標準会議（ＩＥＣ）メーター、電気メーター、ガスメーター、水道メーター、地域暖房メーター、遠隔監視センサ、またはアクチュエータのうちの少なくとも１つを備え、
前記項目が、ビルディング、住宅、会社、工場、発電所、タービン、コンデンサ、自動車、あるいは、住宅、会社、工場、自動車、または発電所のうちの少なくとも１つの資産のうちの少なくとも１つを備える、請求項１記載のシステム。
【請求項３】
前記ファイリングシステムが、前記センサから遠隔のコンピューティングデバイスを備える、請求項１または２に記載のシステム。
【請求項４】
前記コンピューティングデバイスが、Ｗｅｂ分散オーサリングとバージョン管理（ＷｅｂＤＡＶ）サーバを備え、
前記ＷｅｂＤＡＶサーバが、前記ネットワークを介して前記センサにＷｅｂＤＡＶ機能を提供する、請求項３記載のシステム。
【請求項５】
ファイリングシステムとの対話のための前記項目と関連する前記データの前記準備が、前記データでの少なくとも１つのＷｅｂ分散オーサリングとバージョン管理（ＷｅｂＤＡＶ）方法の呼出しを含む、請求項１乃至４のいずれかに記載のシステム。
【請求項６】
メーターを備えるセンサから、項目と関連するデータを少なくとも１つのプロセッサが受信するステップと、
ファイリングシステムとの対話のために前記項目と関連する前記データを前記少なくとも１つのプロセッサが準備するステップと、
を含み、
前記準備するステップは、
ネットワークデバイスを介して、前記ファイリングシステムに前記項目と関連する前記データと前記センサに関連する前記データを記録するための前記ファイリングシステム内の場所の参照を送信するステップと
前記データと前記参照の送信に応答して、前記センサの動作に関連する情報を受け取り、前記センサに前記情報を送信するステップと、
を含み、
前記情報により前記センサの動作が更新される、
方法。
【請求項７】
前記センサが、電力消費量メーター、スマートメーター、国際電気標準会議（ＩＥＣ）メーター、電気メーター、ガスメーター、水道メーター、または遠隔監視センサのうちの少なくとも１つを備え、
前記項目が、ビルディング、住宅、会社、工場、発電所、タービン、コンデンサ、自動車、あるいは、住宅、会社、工場、自動車、または発電所のうちの少なくとも１つの資産のうちの少なくとも１つを備える、請求項６記載の方法。
【請求項８】
前記ファイリングシステムが、前記センサから遠隔のコンピューティングデバイスを備え、
前記コンピューティングデバイスが、Ｗｅｂ分散オーサリングとバージョン管理（ＷｅｂＤＡＶ）サーバを備え、
前記ＷｅｂＤＡＶサーバが、前記ネットワークを介して前記センサにＷｅｂＤＡＶ機能を提供し、
ファイリングシステムとの対話のために前記項目と関連する前記データを準備するステップが、前記データで少なくとも１つのＷｅｂ分散オーサリングとバージョン管理（ＷｅｂＤＡＶ）方法を呼び出すステップを含む、請求項６または７に記載の方法。
【請求項９】
ビルディング、または発電所の資産と関連するデータを受信するように構成された、メーターを備えるセンサと、
ネットワークに接続するように構成された、ネットワークデバイスと、
コンピュータ実行可能命令を記憶する、少なくとも１つのメモリと、
前記少なくとも１つのメモリにアクセスするように構成された、少なくとも１つのプロセッサであって、
前記センサから、データと前記データを記録するための前記ファイリングシステム内の場所の参照とをネットラークを介して受信する、
ファイリングシステムとの対話のために前記データを準備する、
ために、前記コンピュータ実行可能命令を実行するように構成された、前記少なくとも１つのプロセッサと
を備え、
前記データの前記準備が、
前記ファイリングシステム内の前記場所に前記データを記憶すること、
受信した前記データに少なくとも部分的に基づいて前記センサの動作を更新する情報を特定すること、
前記ネットワークを介して、前記情報を前記センサに送信すること
を含み、
前記センサは、前記センサの動作を更新するために前記情報をロードする、
システム。
【請求項１０】
前記少なくとも１つのメモリが、ローカルに前記ファイリングシステムを格納するように構成され、
前記ファイリングシステムが、Ｗｅｂ分散オーサリングとバージョン管理（ＷｅｂＤＡＶ）システムを備え、
ファイリングシステムとの対話のための前記データの前記準備が、前記データで少なくとも１つのＷｅｂ分散オーサリングとバージョン管理（ＷｅｂＤＡＶ）方法を呼び出すステップを含む、請求項９記載のシステム。